(57)【要約】【課題】幼い子供等が勝手に室外に出てしまうのを防止し、安全性及び防犯性の向上を図りつつ、操作性の向上を図る。【解決手段】本発明は、扉の壁面に固定されるハンドル座に支承される回動軸部１０と、回動軸部１０から前記扉に略平行を成すように一方向に延出されて回動軸部１０と共に回動可能に設けられるハンドル部１１と、回動軸部１０に沿ってスライド可能に設けられると共に先端側スライド方向に付勢されるシャフト２の先端部に突設される釦部１２と、釦部１２より反ハンドル部側で枢支され、枢支部６３から釦部１２の先端部２７に当接するようにハンドル部側に延出され、釦部１２より前記ハンドル部側に押圧部６４が設けられる操作片１３と、を備えていることを特徴とする。【選択図】図３
2013204238.tif 000002
【特許請求の範囲】
【請求項１】
扉の壁面に固定されるハンドル座に支承される回動軸部と、
該回動軸部から前記扉に略平行を成すように一方向に延出されて前記回動軸部と共に回動可能に設けられるハンドル部と、
前記回動軸部に沿ってスライド可能に設けられると共に先端側スライド方向に付勢されるシャフトの先端部に突設される釦部と、
該釦部より反ハンドル部側で枢支され、該枢支部から該釦部の先端部に当接するようにハンドル部側に延出され、該釦部より前記ハンドル部側に押圧部が設けられる操作片と、
を備え、該操作片の押圧部を押圧操作すると、前記釦部が押圧され、前記シャフトが付勢力に抗してスライドし、前記ハンドル部及び前記回動軸部の回動が許容されることを特徴とするレバーハンドル。
【請求項２】
前記釦部の先端部は、前記操作片との当接位置が前記シャフトの軸心より前記枢支部側となるように形成されていることを特徴とする請求項１に記載のレバーハンドル。
【発明の詳細な説明】
【技術分野】
【０００１】
本発明は、扉の開閉時や施解錠時に操作されるレバーハンドルに関する。
【背景技術】
【０００２】
一般に、扉を開閉したり施解錠したりするためにレバーハンドルが使用されている。しかしながら、従来のレバーハンドルは、回動操作するだけで誰でも簡単に扉の開閉や施解錠を行うことができるようになっているため、子供等が勝手に扉を開けて室外に出てしまったりすることがあり、安全上や防犯上、好ましくないことがあった。
【０００３】
そこで、レバーハンドルに押ボタンを設置し、この押ボタンを押しながらレバーハンドルを回動させた場合のみ、扉を開放できるように構成したレバーハンドルが提案されている（例えば、特許文献１参照）。
【先行技術文献】
【特許文献】
【０００４】
【特許文献１】特開平１１−３１５６５１号公報
【発明の概要】
【発明が解決しようとする課題】
【０００５】
しかしながら、上記した特許文献１に記載されているレバーハンドルでは、片手でレバーハンドルを把持しながら押ボタンを押圧操作するのが難しく、操作性が悪いといった問題があった。
【０００６】
本発明は、上記した課題を解決すべくなされたものであり、幼い子供等が勝手に室外に出てしまうのを防止し、安全性及び防犯性の向上を図りつつ、操作性の向上を図ることのできるレバーハンドルを提供することを目的とする。
【課題を解決するための手段】
【０００７】
本発明は、扉の壁面に固定されるハンドル座に支承される回動軸部と、該回動軸部から前記扉に略平行を成すように一方向に延出されて前記回動軸部と共に回動可能に設けられるハンドル部と、前記回動軸部に沿ってスライド可能に設けられると共に先端側スライド方向に付勢されるシャフトの先端部に突設される釦部と、該釦部より反ハンドル部側で枢支され、該枢支部から該釦部の先端部に当接するようにハンドル部側に延出され、該釦部より前記ハンドル部側に押圧部が設けられる操作片と、を備え、該操作片の押圧部を押圧操作すると、前記釦部が押圧され、前記シャフトが付勢力に抗してスライドし、前記ハンドル部及び前記回動軸部の回動が許容されることを特徴とする。
【０００８】
この特徴によれば、操作片の押圧部を押圧操作する場合、押圧部が釦部よりハンドル部側に延出して形成されているため、片手でハンドル部を把持しながら押圧部を簡単に押圧操作することができ、操作性を高めることができる。一方、扉を開放又は解錠させるためには、操作片の押圧部を押圧しながらハンドル部を回動させる必要があり、小学生以下の幼い子供等が解錠操作を行うのは難しいため、幼い子供等が勝手に室外に出てしまうのを防止することができ、安全性及び防犯性を高めることができる。
【０００９】
また、本発明に係るレバーハンドルにおいて、前記釦部の先端部は、前記操作片との当接位置が前記シャフトの軸心より前記枢支部側となるように形成されているのが好ましい。
この特徴によれば、テコの原理により、操作片の操作時に押圧部に作用させる押圧力を軽減することができ、操作性のさらなる向上を図ることができる。
【発明の効果】
【００１０】
本発明によれば、幼い子供等が勝手に室外に出てしまうのを防止し、安全性及び防犯性の向上を図りつつ、操作性の向上を図ることができる等、種々の優れた効果を得ることができる。
【図面の簡単な説明】
【００１１】
【図１】本発明の実施の形態に係るレバーハンドルを備えたアンチパニック式電気錠を示す正面図である。
【図２】本発明の実施の形態に係るレバーハンドルを示す正面図である。
【図３】本発明の実施の形態に係るレバーハンドルを示す平断面図である。
【図４】図１のＡ−Ａ断面図である。
【図５】本発明の実施の形態に係るレバーハンドルを備えたアンチパニック式電気錠を室外側から見た正面図である。
【図６】本発明の実施の形態に係るレバーハンドルにおいて操作片を押圧した状態を示す平断面図である。
【発明を実施するための形態】
【００１２】
以下、図面を参照しつつ、本発明の実施の形態について説明する。なお、以下の説明では、本発明の実施の形態に係るレバーハンドルをアンチパニック式電気錠に適用した場合について例示して説明する。ここで、図１は本実施の形態に係るレバーハンドルを備えたアンチパニック式電気錠を示す正面図、図２は本実施の形態に係るレバーハンドルを示す正面図、図３は本実施の形態に係るレバーハンドルを示す平断面図、図４は図１のＡ−Ａ断面図、図５は本実施の形態に係るレバーハンドルを備えたアンチパニック式電気錠を室外側から見た正面図であり、ストッパー部材より室外側の部材を取り外した状態を示している。
【００１３】
アンチパニック式電気錠は、室内側操作機構部１００を備えており、この室内側操作機構部１００は、扉を挟んで室外側ケース（図示省略）に対向配置される室内側ハンドル座８に取り付けられる。
【００１４】
なお、アンチパニック式電気錠は、この室内側操作機構部１００の他に、扉の小口から進退可能に設けられるラッチ部材と、レバーハンドル１の回動力を前記ラッチ部材の進退動に変換する錠前機構部と、前記室外側ケースに取り付けられる室外側操作機構部と、を備えているが、これらの構成は、従来の公知なアンチパニック式電気錠と同様の構成を有しているため、ここでは図示及び詳細な説明を省略する。
【００１５】
室内側操作機構部１００は、室外側のレバーハンドル（図示省略）とは独立して回動可能に設けられる室内側の本実施の形態に係るレバーハンドル１と、このレバーハンドル１の回動軸部１０に沿ってスライド可能且つレバーハンドル１と一体に回動可能に設けられるシャフト２と、シャフト２を室内側スライド方向に付勢する付勢部材としての圧縮バネ３と、シャフト２の室外側端部に形成される作用部５と、作用部５の周囲において該作用部５に係合してシャフト２のスライド動作に伴って該スライド方向と直交する方向にスライド可能に設けられる被動部６と、シャフト２がスライド可能なように該シャフト２の室外側端部側に連結されてレバーハンドル１の回動力を前記錠前機構部に伝達する伝達部材としての角軸７と、を備えている。
【００１６】
レバーハンドル１は、室内側ハンドル座８に支承される回動軸部１０と、回動軸部１０から扉に略平行を成すように一方向に延出されて回動軸部１０と共に回動可能に設けられる細長形状のハンドル部１１と、シャフト２の先端部に突設される釦部１２と、釦部１２の反ハンドル部側から釦部１２の先端部１２ａに当接するようにハンドル部１１側に延出される操作片１３と、を備えて構成されている。
【００１７】
回動軸部１０は、外周部が室外側に向かって次第に縮径された略円筒形状を成している。回動軸部１０の最も小径の室外側外周部１５には、螺子部１６が形成されていると共に軸方向に直交する方向に貫通孔５３が形成されている。回動軸部１０の室外側外周部１５に隣接する２番目に小径の第２外周部１７には、シャフト２のスライド方向と直交する径方向に４個の被動部収容孔１４が放射状に形成されており、各被動部収容孔１４は互いに９０度の中心角を成している。
【００１８】
回動軸部１０の内部には、室内側から室外側に向かって順に、細長角柱形状の操作片収容部１８、円柱形状のバネ収容部１９、バネ収容部１９より小径で円柱形状のシャフト挿入部２０、シャフト挿入部２０より大径で角柱形状の伝達部材挿入部２１が軸方向に連続して形成されている。操作片収容部１８とバネ収容部１９との間、バネ収容部１９とシャフト挿入部２０との間、及びシャフト挿入部２０と伝達部材挿入部２１との間には、それぞれ第１〜第３段差部２２，２３，２４が形成されている。
【００１９】
シャフト２は、丸棒状を成し、室外側から回動軸部１０の内部に挿入可能なように形成されており、室内側端部に取付孔２５が形成されている。
【００２０】
釦部１２は、シャフト２の室内側端部に冠着される筒状部２６と、筒状部２６の先端に突設される先端部２７と、により構成されている。筒状部２６には、シャフト２の螺子孔２５に対応するように、軸方向に直交する方向に取付孔２８が形成されており、取付孔２５，２８に締結具２９を螺入することにより釦部１２がシャフト２の室内側端部に固定されるようになっている。
【００２１】
筒状部２６の室外側端部には段差部３０が形成されており、圧縮バネ３は、両端部がこの段差部３０と第２段差部２３とにそれぞれ当接した状態でシャフト２及び筒状部２６の周囲の隙間３１に配設されている。
【００２２】
先端部２７は、図２に示されているように正面視でハンドル部１１の長手方向に沿って細長い板状に形成されていると共に、図３に示されているように側面視で操作片１３に当接する頂点がシャフト２の軸心より反ハンドル部側にある三角形状に形成されている。先端部２７の筒状部２６側の両端部６２は、ハンドル部１１の長手方向に沿って筒状部２６より突出しており、第１段差部２２に嵌着されたスペーサー６１に当接可能に設けられている。
【００２３】
操作片１３は、ハンドル部１１の長手方向において釦部１２より反ハンドル部側でピン状部材６２により枢支される枢支部６３と、枢支部６３から釦部１２を覆うようにハンドル部側に延出されて釦部１２よりハンドル部側に形成される押圧部６４と、を備えており、枢支部６３と押圧部６４との間には釦部１２の先端部２７が係合可能な溝部６５が形成されている。
【００２４】
シャフト２の作用部５は、先端側の太径の第１係合部３２と、第１係合部３２より室内側に形成されて第１係合部３２より細径の第２係合部３３と、第２係合部３３より室内側に形成されて第１係合部３２と同径の膨出部３４と、により構成されており、第１係合部３２と第２係合部３３との間には傾斜面３５が形成されている。
【００２５】
被動部６は、両端が球面状に曲成されたピン状を成し、４箇所の被動部収容孔１４にそれぞれ径方向にスライド可能に収容されており、釦部４の未操作時には被動部６の内側端部が第１係合部３２に係合した状態に保持されるようになっている。
【００２６】
回動軸部１０の第２外周部１７の周囲には、被動部６に対応する位置にストッパー部材３６が設けられている。ストッパー部材３６は、回動軸部１０の第２外周部１７が挿通可能な挿通穴３７を有しており、挿通穴３７の外周には、４個の被動部６に対応する位置に係止凹部３８が形成されている。係止凹部３８は山型を成し、左右部分にはそれぞれ傾斜部４４が形成されている。
【００２７】
ストッパー部材３６の室内側にはワッシャー３９が重合するように設けられ、ストッパー部材３６の室外側には、カラー４０が重合するように設けられている。このカラー４０は、ストッパー部材３６の係止凹部３８を覆うように円環板状に形成されており、回動軸部１０の第２外周部１７が挿通可能な挿通穴４１を有している。
【００２８】
カラー４０の室外側には、円環状の樹脂製薄板４２を介在させて、座金部材４３が設けられている。座金部材４３は、略円環状に形成されており、回動軸部１０の室外側外周部１５が挿通可能な挿通穴を有している。
【００２９】
座金部材４３の室外側には、略円環状の締付部材４８が座金部材４３の平坦面に重合するように設けられている。締付部材４８の内縁部は回動軸部１０に螺合しており、回動軸部１０に対して締付部材４８を締付けることにより、ワッシャー３９、ストッパー部材３６、カラー４０、樹脂製薄板４２、座金部材４３、及び回動軸部１０が固定されるようになっている。
【００３０】
角軸７は、角棒状を成し、その室内側端部には作用部収容凹部５１が形成され、作用部収容凹部５１内でシャフト２の作用部５が軸方向にスライド可能となっている。角軸７のほぼ中央には、回動軸部１０の貫通孔５３に対応する位置に貫通孔５２が形成されており、貫通孔５２，５３にピン状の締結具５４を挿入することにより、角軸７が回動軸部１０に固定されるようになっている。
【００３１】
次に、本実施の形態に係るレバーハンドル１の作用について説明する。
【００３２】
先ず、操作片１３の押圧部６４を押圧操作しない場合、図３及び図４に示すように、圧縮バネ３の付勢力により、シャフト２及び釦部１２が最も室内側にスライドし、各被動部６の内側端部が作用部５の第１係合部３２に係合すると共に、各被動部６の外側端部がストッパー部材３６の各係止凹部３８に係止することにより、レバーハンドル１の回動が規制される。このように操作片１３の押圧部６４を押圧操作しない場合にはレバーハンドル１を回動させることができないため、幼い子供等が勝手に室外に出てしまうのを防止することができ、安全性及び防犯性の向上を図ることができる。
【００３３】
これに対して、圧縮バネ３の付勢力に抗して操作片１３の押圧部６４を押圧操作すると、操作片１３が釦部１２の先端部２７に当接し、釦部１２及びシャフト２が室外側にスライドし、各被動部６の内側端部が第１係合部３２から離間して第２係合部３３の上方又は下方に移動する。なお、この時、先端部２７の筒状部２６側の両端部６２が第１段差部２２に嵌着されたスペーサー６１に当接することにより、釦部１２及びシャフト２が必要以上に室外側にスライドするのを防止することができる。
【００３４】
この状態で、レバーハンドル１を回動させると、係止凹部３８の傾斜部４４が被動部６の外側端部に当接して被動部６を内側に押し込むため、被動部６は第２係合部３３に係合し、回動軸部１０の外周面より外方に突出しなくなる。これにより、各被動部６の外側端部とストッパー部材３６の各係止凹部３８との係止状態が解除され、レバーハンドル１の回動が許容される。したがって、釦部４を押圧操作しながらレバーハンドル１を回動させると、前記錠前機構部によりレバーハンドル１の回動力が前記ラッチ部材の扉の小口からの後退動に変換され、扉を解錠することができる。
【００３５】
このように操作片１３の押圧部６４を押圧操作する場合、押圧部６４が釦部１２よりハンドル部側に延出して形成されているため、片手でハンドル部１１を把持しながら押圧部６４を簡単に押圧操作することができ、操作性を高めることができる。また、釦部１２の先端部２７は、操作片１３との当接位置がシャフト２の軸心より枢支部６３側になるように形成されているため、テコの原理により、操作片１３の操作時に押圧部６４に作用させる押圧力を軽減することができ、操作性のさらなる向上を図ることができる。
【００３６】
また、上記したアンチパニック式電気錠を解錠させるためには、操作片１３の押圧部６４を押圧しながらハンドル部１１を回動させる必要があるため、小学生以下の幼い子供等が解錠操作を行うのは難しい。したがって、幼い子供等が勝手に室外に出てしまうのを防止することができ、安全性及び防犯性を高めることができる。
【００３７】
なお、上記した本発明の実施の形態の説明では、本発明に係るレバーハンドルをアンチパニック式電気錠に適用した場合について説明したが、これは単なる例示に過ぎず、本発明は押しボタンを組み込んだ他のタイプのレバーハンドルに適用することも可能であることは言う迄もない。
【００３８】
また、上記した本発明の実施の形態の説明は、本発明に係るレバーハンドルにおける好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００３９】
１          レバーハンドル
２          シャフト
８          ハンドル座
１０        回動軸部
１１        ハンドル部
１２        釦部
１３        操作片
２７        先端部
６３        枢支部
６４        押圧部
【図１】
2013204238.tif 000003
【図２】
2013204238.tif 000004
【図３】
2013204238.tif 000005
【図４】
2013204238.tif 000006
【図５】
2013204238.tif 000007
【図６】
2013204238.tif 000008